(57)【要約】【課題】  季節変動に対しても精度良く還元剤の注入量の補正を行うこと。【解決手段】  燃焼機器５を有する発電機１と、燃焼機器５から排出される排ガスの排熱を回収する排ガスボイラ２と、燃焼機器５の下流側に設けられる触媒反応器３と、触媒反応器３上流側の排ガスへ還元剤を注入する還元剤注入器４と、触媒反応器３上流側の排ガスのＮＯx濃度を検出するＮＯx濃度検出手段１４と、発電機１の発電量に応じて定める還元剤注入量に対し、ＮＯx濃度検出手段１４により検出されるＮＯx濃度に対して変化する値の補正率ａを乗算した注入量に前記還元剤注入量を制御する制御器１３とを備えるコジェネレーションシステム。。【選択図】    図１
2005133628.tif 000002
【特許請求の範囲】
【請求項１】
燃焼機器５を有する発電機１と、前記燃焼機器５から排出される排ガスの排熱を回収する排ガスボイラ２と、前記燃焼機器５の下流側に設けられる触媒反応器３と、前記触媒反応器３上流側の排ガスへ還元剤を注入する還元剤注入器４と、排ガスのＮＯx濃度を検出するＮＯx濃度検出手段１４と、前記発電機１の発電量に応じて定める還元剤注入量に対し、前記ＮＯx濃度検出手段１４により検出されるＮＯx濃度に対して変化する値の補正率ａを乗算した注入量に還元剤注入量を制御する制御器１３とを備えるコジェネレーションシステム。
【請求項２】
燃焼機器５を有する発電機１と、前記燃焼機器５から排出される排ガスの排熱を回収する排ガスボイラ２と、前記燃焼機器５の下流側に設けられる触媒反応器３と、前記触媒反応器３上流側の排ガスへ還元剤を注入する還元剤注入器４と、排ガス流量を検出する排ガス流量検出手段２０と、前記発電機１の発電量に応じて定める還元剤注入量に対し、前記排ガス流量検出手段２０により検出される排ガス流量に対して変化する値の補正率ｂを乗算した注入量に還元剤注入量を制御する制御器１３とを備えるコジェネレーションシステム。
【請求項３】
燃焼機器５を有する発電機１と、前記燃焼機器５から排出される排ガスの排熱を回収する排ガスボイラ２と、前記燃焼機器５下流側に設けられる触媒反応器３と、前記触媒反応器３上流側の排ガスへ還元剤を注入する還元剤注入器４と、排ガスのＮＯx濃度を検出するＮＯx濃度検出手段１４と、排ガス流量を検出する排ガス流量検出手段２０と、前記発電機１の発電量に応じて定める還元剤注入量に対し、前記ＮＯx濃度検出手段１４により検出されるＮＯx濃度に対して変化する値の補正率ａと前記排ガス流量検出手段２０により検出される排ガス流量に対して変化する値の補正率ｂを乗算した注入量に還元剤注入量を制御する制御器１３とを備えるコジェネレーションシステム。
【発明の詳細な説明】
【技術分野】
【０００１】
この発明は、燃焼機器を有する発電機と、前記燃焼機器から排出される排ガスの排熱を回収する排ガスボイラとを備えるコジェネレーションシステム（熱電併給システムともいう。）に関する。
【背景技術】
【０００２】
一般に、コジェネレーションシステムにおいては、前記燃焼機器の排ガス中に尿素水などの還元剤を注入し、この還元剤を触媒反応器上で排気ガス中のＮＯxと反応させ、ＮＯxを窒素と水とに分解することにより、排ガスボイラからのＮＯxの流出を防止することが行われる。こうした従来のコジェネレーションシステムにおいては、還元剤の注入量が前記発電機の出力を変数として制御されるために、脱硝前のＮＯx濃度が、季節変動の影響を受けて、還元剤注入量を精度良く実際のＮＯx発生量に追随させることができないという課題があった。
【０００３】
この課題を解決するために、前記還元剤注入量の補正を行うことが提案されている（特許文献１参照）。この補正方法は、つぎのようなものである。前記発電機の定格運転時のＮＯx濃度を測定し、この測定濃度と特定条件下のＮＯx濃度との差に対し、前記発電機により定まる固定の定数を乗算して補正値を求め、この補正値を前記還元剤注入量に加算して補正を行う。
【０００４】
【特許文献１】特開２００３−１２６６５２号公報
【発明の開示】
【発明が解決しようとする課題】
【０００５】
この発明は、特許文献１に記載の発明のさらなる改良に関するものであって、季節変動によるＮＯx濃度の変化に対しても精度良く還元剤の注入量の補正を行うことを課題としている。
【課題を解決するための手段】
【０００６】
この発明は、前記の課題を解決するためになされたもので、請求項１に記載の発明は、燃焼機器を有する発電機と、前記燃焼機器から排出される排ガスの排熱を回収する排ガスボイラと、前記燃焼機器の下流側に設けられる触媒反応器と、前記触媒反応器上流側の排ガスへ還元剤を注入する還元剤注入器と、排ガスのＮＯx濃度を検出するＮＯx濃度検出手段と、前記発電機の発電量に応じて定める還元剤注入量に対し、前記ＮＯx濃度検出手段により検出されるＮＯx濃度に対して変化する値の補正率ａを乗算した注入量に還元剤注入量を制御する制御器とを備えることを特徴としている。
【０００７】
請求項１に記載の発明によれば、補正率ａを前記ＮＯx濃度検出手段により検出されるＮＯx濃度に応じて変化する値として還元剤注入量に乗算するので、季節変動により、排出されるＮＯx濃度が変化してもこのＮＯx濃度の変化に対応して還元剤注入量が補正される。
【０００８】
請求項２に記載の発明は、燃焼機器を有する発電機と、前記燃焼機器から排出される排ガスの排熱を回収する排ガスボイラと、前記燃焼機器の下流側に設けられる触媒反応器と、前記触媒反応器上流側の排ガスへ還元剤を注入する還元剤注入器と、排ガス流量を検出する排ガス流量検出手段と、前記発電機の発電量に応じて定める還元剤注入量に対し、前記排ガス流量検出手段により検出される排ガス流量に対して変化する値の補正率ｂを乗算した注入量に還元剤注入量を制御する制御器とを備えることを特徴としている。
【０００９】
請求項２に記載の発明によれば、補正率ｂを前記排ガス流量検出手段により検出される排ガス流量に応じて変化する値として還元剤注入量に乗算するので、季節変動により、排ガス流量が変化してもこのＮＯx濃度の変化に対応して還元剤注入量が補正される。
【００１０】
請求項３に記載の発明は、燃焼機器を有する発電機と、前記燃焼機器から排出される排ガスの排熱を回収する排ガスボイラと、前記燃焼機器下流側に設けられる触媒反応器と、前記触媒反応器上流側の排ガスへ還元剤を注入する還元剤注入器と、排ガスのＮＯx濃度を検出するＮＯx濃度検出手段と、排ガス流量を検出する排ガス流量検出手段と、前記発電機の発電量に応じて定める還元剤注入量に対し、前記ＮＯx濃度検出手段により検出されるＮＯx濃度に応じて変化する値の補正率ａと前記排ガス流量検出手段により検出される排ガス流量に対して変化する値の補正率ｂを乗算した注入量に還元剤注入量を制御する制御器とを備えることを特徴としている。
【００１１】
請求項３に記載の発明によれば、補正率ａを前記ＮＯx濃度検出手段により検出されるＮＯx濃度により変化する値とし、補正率ｂを前記排ガス流量検出手段により検出される排ガス流量により変化する値として、両補正率ａとｂとを還元剤注入量に乗算するので、季節変動による排出されるＮＯx濃度および排ガス流量の変化に対応して還元剤注入量が補正される。
【発明の効果】
【００１２】
この発明によれば、季節変動によるＮＯx濃度および／または排ガス流量の変化に対して、精度良く還元剤注入量を制御することができる。
【発明を実施するための最良の形態】
【００１３】
（実施の形態１）
つぎに、この発明の実施の形態について説明する。この発明の実施の形態は、燃焼機器を有する発電機と、前記燃焼機器から排出される排ガスの排熱を回収する排ガスボイラとを備えるコジェネレーションシステムに適用される。
【００１４】
（実施の形態１）
まず、実施の形態１について説明する。この実施の形態１は、燃焼機器を有する発電機と、前記燃焼機器から排出される排ガスの排熱を回収する排ガスボイラと、前記燃焼機器の下流側に設けられる触媒反応器と、前記触媒反応器上流側の排ガスへ還元剤を注入する還元剤注入器と、前記触媒反応器上流側の排ガスのＮＯx濃度を検出するＮＯx濃度検出手段と、前記発電機の発電量に応じて定める還元剤注入量に対し、前記ＮＯx濃度検出手段により検出されるＮＯx濃度に対して変化する値の補正率ａを乗算した注入量に還元剤注入量を制御する制御器とを備えることを特徴としている。
【００１５】
この実施の形態１においては、前記燃焼機器から排出される排ガスに対して前記還元剤注入器から還元剤が注入される。そして、この還元剤が前記触媒反応器において排ガス中のＮＯxと反応して、ＮＯxが窒素と水に分解される。前記還元剤の注入量は、前記制御器により、前記発電機の発電量に応じて定める還元剤注入量に基づき制御される。そして、季節変動により、ＮＯx濃度が変化すると、前記ＮＯx濃度検出手段により検出されるＮＯx濃度により変化する値の補正率ａを乗算した注入量に補正される。
【００１６】
この実施の形態１において、前記発電機は、好ましくは、季節変動によりＮＯx濃度変化が大きいガスエンジンを燃焼機器として有するものとするが、ガスタービン，ディーゼルエンジンなどの燃焼機器を有するものとすることができる。
【００１７】
また、前記排ガスボイラは、蒸気ボイラ，温水ボイラのいずれであっても良く、前記燃焼機器から排出される排ガスの熱を回収するものであれば、種類、形式を問わない。
【００１８】
また、前記触媒反応器は、尿素水，アンモニア，重炭酸アンモニウムなどの還元剤と排ガス中のＮＯxとの反応を促進させるものであれば、種類を問わない。前記触媒反応器の設置位置は、前記燃焼機器と前記排ガスボイラとの間の排ガス通路中，前記排ガスボイラの中に形成される排ガス通路中，前記排ガスボイラから排出される排ガスが流通する排ガス通路中のいずれであってもよい。この場合、前記脱硝反応器の設置位置に応じて排ガス温度が異なるので、その排ガス温度に適したＮＯx分解触媒を用いて、処理可能な触媒量を用いる。
【００１９】
また、前記還元剤注入器は、少なくとも還元剤を前記触媒反応器の上流側に注入するノズルとこのノズルへ還元剤を供給するポンプとを含む。この実施の形態においては、前記ノズルおよび前記ポンプは、特定の構成のものに限定されるものではない。前記還元剤注入器による還元剤の注入量の制御は、前記ポンプのストローク数制御によって実施される。
【００２０】
前記ＮＯx濃度検出器は、前記触媒反応器の上流側の排ガス中のＮＯx濃度を検出するものであればよく、特定の構成のものに限定されるものではなく、周知のセンサが用いられる。
【００２１】
前記制御器は、前記発電機から発電量の信号および前記ＮＯx濃度検出器からの検出信号を入力し、前記還元剤注入器による還元剤注入量Ｇを前記発電機の発電量Ｐに応じた第一注入量Ｇ１をベースとして制御し、このベース値Ｇ１に補正率ａを乗算した第二注入量Ｇ２＝Ｇ１×ａに補正制御する。前記第一注入量Ｇ１は、前記発電量Ｐの関数として関数発生器にて導出するか、前記発電量に対する注入量をテーブルとして前記制御器のメモリに記憶して、利用する。前記補正率ａは、前記ＮＯx濃度検出手段による検出濃度に応じて変化する（異なる）値とする。この補正率ａは、前記検出濃度に対する補正値をテーブルとして前記制御器に記憶し、利用する。
【００２２】
前記補正率ａは、、好ましくは、計画ＮＯx濃度低減量△ＧＰ対する実際ＮＯx低減量△ＧＣの比率に比例する値とする。前記計画ＮＯx低減量ＧＰとは、特定の条件（計画）下におけるＮＯx濃度ＧＰ１から前記触媒反応器通過後の目標ＮＯx濃度ＧＰ０（低減目標とするＮＯx濃度）を差し引いた値である。また，前記実際ＮＯx低減量ＧＣとは、前記濃度検出手段により検出されるＮＯx濃度ＧＣ１から前記目標ＮＯx濃度ＧＰ０を差し引いた値である。すなわち、補正率ａは、次式で表現される。
【００２３】
ａ＝△ＧＣ／△ＧＰ＝（ＧＣ１−ＧＰ０）／（ＧＰ１−ＧＰ０）
【００２４】
前記補正率ａをこのように設定することにより、実際のＮＯx濃度と目標ＮＯx濃度とを加味した精度の良い注入量の補正が可能となる。
【００２５】
さらに、前記補正率ａは、前記還元剤を尿素水とした場合、好ましくは、計画ＮＯx低減量または実際ＮＯx低減量から推定した尿素水のアンモニアへの分解率を考慮した補正係数ｃを考慮した値とする。具体的には、補正率ａに補正係数ｃを乗算した補正率とする。補正係数ｃは、脱硝率が高くなると、また排ガス温度が低くなると、尿素水の分解率が低下することを加味するための係数である。脱硝率と排ガス温度とは、独立して分解率に影響を与える。脱硝率による補正係数をｃ１，排ガス温度による補正係数をｃ２とすると、ｃ＝ｃ１×ｃ２で表現される。脱硝率が所定値以上または排ガス温度が所定値以下になると、ｃは１以上に設定される。この補正係数ｃは、脱硝量に対して変化する値として、
テーブルまたは近似式で前記制御器のメモリに記憶され、利用される。
【００２６】
以上のように、この実施の形態１によれば、季節変動により、ＮＯx濃度が変化した場合、実際のＮＯx濃度の変化を加味した還元剤の注入量の補正が行われる。その結果、季節変動によりＮＯx濃度が変化しても精度の高い還元剤注入量制御を行うことができる。
【００２７】
この発明は、前記実施の形態１に限定されるものではなく、つぎの実施の形態２〜実施の形態３を含む。
【００２８】
（実施の形態２）
この実施の形態２は、燃焼機器を有する発電機と、前記燃焼機器から排出される排ガスの排熱を回収する排ガスボイラと、前記燃焼機器の下流側に設けられる触媒反応器と、前記触媒反応器上流側の排ガスへ還元剤を注入する還元剤注入器と、排ガス流量を検出する排ガス流量検出手段と、前記発電器の発電量に応じて定める還元剤注入量に対し、前記排ガス流量検出手段により検出された排ガス流量に対して変化する値の補正率ｂを乗算した注入量に還元剤注入量を制御する制御器とを備えることを特徴としている。
【００２９】
この実施の形態２において、前記実施の形態１と異なるのは、前記ＮＯx濃度検出手段によるＮＯx濃度に基づく還元剤注入量補正を行う代わりに、排ガス流量検手段による排ガス流量に基づく還元剤注入量補正を行うものである。以下、前記実施の形態１と異なる部分のみ説明するが、同じ部分ついての説明を省略する。
【００３０】
この実施の形態２においては、季節変動により、排ガス流量が変化すると、前記排ガス流量検出手段により検出される排ガス流量に対して変化する値の補正率ｂを乗算した注入量に補正される。この実施の形態は、特に季節変動により排ガス流量変化が大きいガスタービンに好適である。
【００３１】
前記排ガス流量検出手段は、好ましくは、前記発電機の吸気温度に基づき前記発電機の発電量に対する排ガス流量を推定して求めるものとする。これは、排ガス流量が、前記吸気温度の変化により、変化することに基づくもので、予め実験によりその変化の態様を求めておき、これを近似式の形で、前記制御器のメモリに記憶して利用する。また、排ガス流量と圧損との関係をテーブルの形で記憶して利用するように構成できる。
【００３２】
前記排ガス流量検出手段は、前記吸気温度に基づくものに限定されるものではなく、前記排ガス通路におけるガス圧力損失（圧損）に基づき前記発電量に対する排ガス流量を推定して求めるものとすることができる。これは、前記圧損が排ガス流量の二乗に比例することに基づくもので、予め実験により比例定数を求めておき、これを近似式またはテーブルの形で、前記制御器のメモリに記憶して利用する。
【００３３】
以上のように、この実施の形態２によれば、前記発電機の負荷が変化することにより、排ガス流量が変化した場合、実際の排ガス流量の変化を加味した還元剤の注入量の補正が行われる。その結果、季節変動により排ガス流量が変化しても精度の高い還元剤注入量制御を行うことができる。
【００３４】
（実施の形態３）
この実施の形態３は、燃焼機器を有する発電機と、前記燃焼機器から排出される排ガスの排熱を回収する排ガスボイラと、前記燃焼機器下流側に設けられる触媒反応器と、前記触媒反応器上流側の排ガスへ還元剤を注入する還元剤注入器と、前記触媒反応器上流側の排ガスのＮＯx濃度を検出するＮＯx濃度検出手段と、排ガス流量を検出する排ガス流量検出手段と、前記発電器の発電量に応じて定める還元剤注入量に対し、前記ＮＯx濃度検出
手段により検出されるＮＯx濃度に対して変化する値の補正率ａと前記排ガス流量検出手段により検出された排ガス流量に対して変化する値の補正率ｂを乗算した注入量に前記還元剤注入量を制御する制御器とを備えることを特徴としている。
【００３５】
この実施の形態３において、前記実施の形態１と異なるのは、前記ＮＯx濃度検出手段によるＮＯx濃度に基づく還元剤注入量補正に加えて、前記実施の形態２の前記排ガス流量検手段による排ガス流量に基づく還元剤注入量補正を行うものである。以下、前記実施の形態１および前記実施の形態２と異なる部分のみ説明する。
【００３６】
この実施の形態３においては、季節変動により、ＮＯx濃度が変化し、排ガス流量が変化すると、還元剤注入量は、前記ＮＯx濃度検出手段により検出されるＮＯx濃度ににより変化する値の補正率ａと前記排ガス流量検出手段により検出される排ガス流量により変化する値の補正率ｂとを乗算した注入量に補正される。
【００３７】
以上のように、この実施の形態３によれば、季節変動により、ＮＯx濃度および排ガス流量が変化した場合、実際のＮＯx濃度および排ガス流量の変化を加味した還元剤の注入量の補正が行われる。その結果、季節変動によりＮＯx濃度および排ガス流量が変化しても精度の高い還元剤注入量制御を行うことができる。
【００３８】
さらに、前記実施の形態１，２，３は、それぞれつぎの脱硝方法の実施の形態４，５，６を含む。
【００３９】
（実施の形態４）
この実施の形態４は、前記実施の形態１により実現される脱硝方法であって、発電機の燃焼機器から排出される排ガスへ還元剤を注入し、脱硝反応器にて排ガス中のＮＯxを分解するコジェネレーションシステムの排ガス脱硝方法において、前記発電機の発電量に応じて定める還元剤注入量に対し、前記脱硝反応器の上流側の排ガスＮＯx濃度に対して変化する値の補正率ａを乗算した注入量に還元剤注入量を制御することを特徴としている。
【００４０】
（実施の形態５）
この実施の形態５は、前記実施の形態２により実現される脱硝方法であって、発電機の燃焼機器から排出される排ガスへ還元剤を注入し、脱硝反応器にて排ガス中のＮＯxを分解するコジェネレーションシステムの排ガス脱硝方法において、前記発電機の発電量に応じて定める還元剤注入量に対し、排ガス流量に対して変化する値の補正率ｂを乗算した注入量に還元剤注入量を制御することを特徴としている。
【００４１】
（実施の形態６）
この実施の形態６は、前記実施の形態３により実現される脱硝方法であって、発電機の燃焼機器から排出される排ガスへ還元剤を注入し、脱硝反応器にて排ガス中のＮＯxを分解するコジェネレーションシステムの排ガス脱硝方法において、前記発電機の発電量に応じて定める還元剤注入量に対し、前記脱硝反応器の上流側の排ガスＮＯx濃度に対して変化する値の補正率ａと排ガス流量に対して変化する値の補正率ｂとを乗算した注入量に還元剤注入量を制御することを特徴としている。
【実施例１】
【００４２】
以下、前記実施の形態１に対応するこの発明の具体的実施例１を図面に基づいて詳細に説明する。図１は、実施例１の概略構成図であり、図２は、同実施例１の電気的ブロック回路図である。
【００４３】
前記実施例１は、コジェネレーションシステムであり、主たる構成要素は、発電機１，
発電機１の排ガスから排熱を回収する排ガスボイラ２，還元剤としての尿素水を用いて排ガス中のＮＯxを分解する触媒反応器３，尿素水を注入する還元剤注入器４である。
【００４４】
前記発電機１は、燃焼機器としてのガスエンジン５と発電部６を有する。ガスエンジン５には、吸気通路７を備える。
【００４５】
前記触媒反応器３は、前記ガスエンジン５と前記排ガスボイラ２との間の第一排ガス通路８に設けられる。前記触媒反応器３は、約４００℃〜４５０℃の排ガス温度領域において、尿素水とＮＯxの反応を促進し、ＮＯxを窒素と水とに分解する機能を有する。
【００４６】
前記還元剤注入器４は、注入ノズル９と、この注入ノズル９へ還元剤流路１０を介して接続され、還元剤貯留タンク（図示省略）から前記注入ノズル９へ供給する容量式定量ポンプとしての電磁式ポンプ１１とを有する。
【００４７】
前記排ガスボイラ２には、熱回収後の排ガスを大気へ放出するための第二排ガス通路１２を有している。
【００４８】
前記ポンプ１１は、制御器１３により制御される。前記制御器１３は、前記触媒反応器３の上流側の第一排ガス通路８における排ガスのＮＯx濃度検出手段としてのＮＯx濃度センサ１４の検出濃度信号ＧＣ１と前記発電機１の発電量信号Ｐとを入力し、つぎの式に示される還元剤の第二注入量Ｇ２となるように前記ポンプ１１を制御する。
Ｇ２＝Ｇ１×ａ………………………式１
但し、ａ＝△ＧＣ／△ＧＰ＝（ＧＣ１−ＧＰ０）／（ＧＰ１−ＧＰ０）
△ＧＰ：計画ＮＯx濃度低減量，△ＧＣ：実際ＮＯx低減量
ＧＰ１：特定の条件下におけるＮＯx濃度，ＧＰ０：目標ＮＯx濃度
ＧＣ１：ＮＯx濃度センサ１４により検出されるＮＯx濃度
【００４９】
前記制御器１３による還元剤注入量の制御は、図２の処理ブロック図により実現される。図２において、前記発電機１の発電量信号Ｐは、前記比率演算回路１５へ入力され、前記発電量Ｐに応じて変化する第一注入量信号Ｇ１を発生する。また、前記発電量信号Ｐは、前記関数発生回路１６へも入力され、前記特定条件下におけるＮＯx濃度信号ＧＰ１を発生する。
【００５０】
一方、前記ＮＯx濃度センサ１４にて検出されたＮＯx濃度信号ＧＣ１は、減算回路１７へ入力され、前記△ＧＣの信号が出力される。信号△ＧＣは、第一補正率演算回路１８へ入力され、ここで前記補正率ａが生成され、乗算回路１９へ入力される。前記乗算回路１９においては、Ｇ１×ａの演算がなされ、前記ポンプ１１を制御するための還元剤の第二注入量信号Ｇ２が出力される。この第二注入量信号Ｇ２は、前記制御器１３の一部を構成するポンプ制御部（図示省略）へ送信され、前記ポンプ１１による注入量を制御する。
【００５１】
つぎに、上記構成の実施例１の作用を説明する。前記燃焼機器５から排出されるＮＯx濃度が季節変動により変化する。その変化は、前記発電機１の負荷，すなわち発電量Ｐの変化に対して、前記ＧＣ１との差が一様となるように（一定値となるように）変化するものではない。
【００５２】
ＮＯx濃度が、このように変化した場合、その変化は、前記△ＧＣとして把握され、ａ＝△ＧＣ／△ＧＰとして、前記第一補正率演算回路１８から出力される。しかもこの補正率ａは、Ｇ１に乗算する形で補正されるので、前記発電機１の負荷の変化範囲に対して同様に作用して補正される効果がある。
【実施例２】
【００５３】
以下、前記実施の形態３に対応するこの発明の具体的実施例２を図面に基づいて詳細に説明する。図３は、実施例２の概略構成図であり、図４は、同実施例２の電気的ブロック回路図である。
【００５４】
この実施例２において、前記実施例１と異なる構成のみ説明し、同じ構成については同一符号を付して省略する。
【００５５】
実施例２において、前記実施例１と異なるのは、排ガス流量検出手段を設け、前記補正率ａと、検出された排ガス流量Ｆに基づく補正率ｂとを用いて還元剤注入量Ｇを補正する。具体的には、第二注入量Ｇ２をＧ１×ａ×ｂとする。補正率ｂは、前記実施の形態２にて説明した通りである。
【００５６】
具体的に前記の異なる部分を説明するに、図３において、排ガス流量検出手段の一部を構成する温度センサ２０を前記燃焼機器５の吸気通路７中または流入前の吸気温度を検出するように設けている。
【００５７】
また、図４においては、補正率ｂを算出する第二補正率演算回路２１を設け、乗算回路１９にて、信号Ｇ１に補正率ａと補正率ｂとを乗算するように構成している。
【００５８】
前記構成の実施例２の作用を説明する。前記燃焼機器５から排出されるＮＯx濃度および排ガス流量が季節変動により変化する。このＮＯx濃度変化は、前記発電機１の負荷，すなわち発電量Ｐの変化に対して、前記ＧＣ１との差が一様に（一定値となるように）変化するものではない。
【００５９】
ＮＯx濃度が、このように変化した場合、その変化は、前記△ＧＣとして把握され、ａ＝△ＧＣ／△ＧＰとして、前記第一補正率演算回路１８から出力される。また、排ガス流量が変化した場合、その変化は、ｂの変化として把握され、前記第二補正率演算回路２１から出力される。しかもこの補正率ａおよびｂは、Ｇ１に乗算する形で補正されるので、前記発電機１の負荷の変化範囲に対して同様に作用して補正される効果がある。
【図面の簡単な説明】
【００６０】
【図１】本発明の実施例１の概略構成を示す説明図である。
【図２】同実施例１のブロック的回路構成を示す説明図である。
【図３】本発明の実施例２の概略構成を示す説明図である。
【図４】同実施例２のブロック的回路構成を示す説明図である。
【符号の説明】
【００６１】
１  発電機
２  排ガスボイラ
３  脱硝反応器
４  還元剤注入器
５  燃焼機器
１４  ＮＯx濃度センサ
２０  温度センサ
【図１】
2005133628.tif 000003
【図２】
2005133628.tif 000004
【図３】
2005133628.tif 000005
【図４】
2005133628.tif 000006
【手続補正書】
【提出日】平成15年11月13日(2003.11.13)
【手続補正１】
【補正対象書類名】図面
【補正対象項目名】図２
【補正方法】変更
【補正の内容】
【図２】
2005133628.tif 000007
【手続補正２】
【補正対象書類名】図面
【補正対象項目名】図４
【補正方法】変更
【補正の内容】
【図４】
2005133628.tif 000008